(57)【特許請求の範囲】
【請求項１】
一つの胴回り開口及び一対の脚回り開口を備える使い捨てオムツであって、
腹側部分と背側部分と股部分とを備え、腹側部分及び背側部分はオムツ展開時に縦方向に互いに離間され、股部分は横断方向中間位置を縦方向に延びて腹側部分及び背側部分に接合され、
前記オムツは更に、伸長性又は伸縮性を有する一対の脚回りシートを備え、
一方の脚回りシートの縦方向周縁領域及び内方側縁領域は股部分の一側においてそれぞれ、腹側部分の下縁領域及び背側部分の下縁領域並びに股部分の側縁領域に接合され、それにより、股部分の一側において腹側部分と背側部分との間の間隙に一方の脚回りシートが配置され、
他方の脚回りシートの縦方向周縁領域及び内方側縁領域は股部分の他側においてそれぞれ、腹側部分の下縁領域及び背側部分の下縁領域並びに股部分の側縁領域に接合され、それにより、股部分の他側において腹側部分と背側部分との間の間隙に他方の脚回りシートが配置され、
脚回りシートはそれぞれ、脚回り開口を画定する切り抜きを有し、
前記切り抜きを画定する周縁は、前記脚回りシートの外周縁から離間している、
使い捨てオムツにおいて、
前記切り抜きから前記脚回りシートの外方側縁に向かって延びる脆弱線が前記脚回りシートに設けられていることにより、脚回り開口の大きさが調節可能である、
使い捨てオムツ。
【請求項２】
一つの胴回り開口及び一対の脚回り開口を備える使い捨てオムツであって、
腹側部分と背側部分を備え、腹側部分及び背側部分はオムツ展開時に縦方向に互いに離間され、
前記オムツは更に、伸長性又は伸縮性を有する脚回りシートを備え、
脚回りシートの縦方向周縁領域はそれぞれ、腹側部分の下縁領域のほぼ全体及び背側部分の下縁領域のほぼ全体に接合され、それにより、腹側部分と背側部分との間の間隙に脚回りシートが配置され、
脚回りシートは、一対の脚回り開口を画定する一対の切り抜きを有し、
前記切り抜きを画定する周縁は、前記脚回りシートの外周縁から離間している、
使い捨てオムツにおいて、
前記切り抜きから前記脚回りシートの外方側縁に向かって延びる脆弱線が前記脚回りシートに設けられていることにより、脚回り開口の大きさが調節可能である、
使い捨てオムツ。
【請求項３】
腹側部分及び背側部分の側縁領域同士がそれぞれ、再接合不能に互いに接合される、請求項１又は２に記載の使い捨てオムツ。
【請求項４】
脚回りシートの側縁領域同士がそれぞれ、再接合不能に互いに接合される、請求項３に記載の使い捨てオムツ。
【請求項５】
腹側部分及び背側部分の側縁領域同士がそれぞれ再接合可能に互いに接合される、請求項１又は２に記載の使い捨てオムツ。
【請求項６】
着用時に脚回り開口が着用者の大腿部に位置するように脚回りシートが形成されている、請求項１から５までのいずれか一項に記載の使い捨てオムツ。
【請求項７】
脚回りシートは、互いに直交する２方向に伸長性又は伸縮性を有する、請求項１から６までのいずれか一項に記載の使い捨てオムツ。
【請求項８】
脚回りシートの肌側面が平坦である、請求項１から７までのいずれか一項に記載の使い捨てオムツ。
【請求項９】
脚回りシートが液不透過性を有する、請求項１から８までのいずれか一項に記載の使い捨てオムツ。
【請求項１０】
脚回りシートが撥水性を有する、請求項１から９までのいずれか一項に記載の使い捨てオムツ。
【請求項１１】
腹側部分及び背側部分はそれぞれ、ほぼ横断方向に互いに平行に延びる複数の弾性部材を備える、請求項１から１０までのいずれか一項に記載の使い捨てオムツ。
【発明の詳細な説明】
【技術分野】
【０００１】
本発明は使い捨てオムツに関する。
【背景技術】
【０００２】
一つの胴回り開口及び一対の脚回り開口を備える使い捨てオムツであって、オムツ展開時に縦方向に互いに離間された腹側部分及び背側部分と、これら腹側部分及び背側部分に接合された弾性シートとを備え、腹側部分及び背側部分の側縁領域同士がそれぞれ、テープファスナによって接合される、使い捨てオムツが公知である（特許文献１参照）。このようにすると、着用者に弾性シートが接触するので、オムツが着用者の動きに容易に追従し、オムツのズレ下がりを抑制することができる。
【先行技術文献】
【特許文献】
【０００３】
【特許文献１】特開２００１−８９６８号公報
【発明の概要】
【発明が解決しようとする課題】
【０００４】
しかしながら、上述のオムツでは、テープファスナが弾性シートから離間した位置にあるので、腹側部分に隣接する弾性シート部分と背側部分に隣接する弾性シート部分とが互いに接合されていない。その結果、着用者の動きによって脚回り開口が大きく拡げられ、弾性シートが着用者から離脱するおそれがある。したがって、オムツのズレ下がりを十分に抑制できないおそれがある。また、腹側部分に隣接する弾性シート部分と背側部分に隣接する弾性シート部分とが互いに接合されていないので、当該弾性シート部分が腹側部分及び背側部分から分離するおそれもある。
【課題を解決するための手段】
【０００５】
本発明の第１観点によれば、一つの胴回り開口及び一対の脚回り開口を備える使い捨てオムツであって、腹側部分と背側部分と股部分とを備え、腹側部分及び背側部分はオムツ展開時に縦方向に互いに離間され、股部分は横断方向中間位置を縦方向に延びて腹側部分及び背側部分に接合され、前記オムツは更に、伸長性又は伸縮性を有する一対の脚回りシートを備え、一方の脚回りシートの縦方向周縁領域及び内方側縁領域は股部分の一側においてそれぞれ、腹側部分の下縁領域及び背側部分の下縁領域並びに股部分の側縁領域に接合され、それにより、股部分の一側において腹側部分と背側部分との間の間隙に一方の脚回りシートが配置され、他方の脚回りシートの縦方向周縁領域及び内方側縁領域は股部分の他側においてそれぞれ、腹側部分の下縁領域及び背側部分の下縁領域並びに股部分の側縁領域に接合され、それにより、股部分の他側において腹側部分と背側部分との間の間隙に他方の脚回りシートが配置され、脚回りシートはそれぞれ、脚回り開口を画定する切り抜きを有する、使い捨てオムツが提供される。
【０００６】
本発明の第２観点によれば、一つの胴回り開口及び一対の脚回り開口を備える使い捨てオムツであって、腹側部分と背側部分を備え、腹側部分及び背側部分はオムツ展開時に縦方向に互いに離間され、前記オムツは更に、伸長性又は伸縮性を有する脚回りシートを備え、脚回りシートの縦方向周縁領域はそれぞれ、腹側部分の下縁領域のほぼ全体及び背側部分の下縁領域のほぼ全体に接合され、それにより、腹側部分と背側部分との間の間隙に脚回りシートが配置され、脚回りシートは、一対の脚回り開口を画定する一対の切り抜きを有する、使い捨てオムツが提供される。
【発明の効果】
【０００７】
オムツが着用者に密着し続けるのを促進することができる。
【図面の簡単な説明】
【０００８】
【図１】本発明による第１実施例の使い捨てオムツの平面図である。
【図２】図１のオムツの展開図である。
【図３】図２の線ＩＩＩ−ＩＩＩに沿ってみた断面図である。
【図４】切抜きの別の実施例を示す図である。
【図５】接合の別の実施例を示す図である。
【図６】脚回りシートの別の実施例を示す図である。
【図７】脚回りシート及び股部分の別の実施例を示す図である。
【図８】切抜きの寸法を説明する図である。
【図９】本発明による第２実施例の使い捨てオムツの平面図である。
【図１０】図９のオムツの展開図である。
【図１１】図１０の線ＸＩ−ＸＩに沿ってみた断面図である。
【図１２】使い捨てオムツの更に別の実施例を示す図である。
【発明を実施するための形態】
【０００９】
図１、図２及び図３は本発明による第１実施例を示している。なお、図２において、Ｌはオムツ１の縦方向を、Ｔは縦方向に直交する横断方向を、それぞれ示している。
【００１０】
図１、図２及び図３を参照すると、使い捨てオムツ１は腹側部分４Ｆ、背側部分４Ｂ及び股部分４Ｃを備える。腹側部分４Ｆ及び背側部分４Ｂはそれぞれ着用時に着用者の腹側及び背側に位置する。
【００１１】
腹側部分４Ｆ及び背側部分４Ｂはそれぞれ長方形状をなしており、展開時に縦方向Ｌに互いに離間して配置される。また、腹側部分４Ｆ及び背側部分４Ｂにはそれぞれ、横断方向Ｔに互いにほぼ平行に延びる複数の弾性部材５Ｆ，５Ｂが設けられる。特に図３に示されるように、腹側部分４Ｆ及び背側部分４Ｂはそれぞれ互いに重ねられた２枚の液不透過性シートを備え、弾性部材５Ｆ，５Ｂはこれらシート間に伸長状態で配置されてこれらシートに固定される。
【００１２】
股部分４Ｃも長方形状をなし、縦方向Ｌに延びて横断方向中間位置において腹側部分４Ｆ及び背側部分４Ｂに接合される。この場合、股部分４Ｃの縦方向周縁領域４ＣＦ，４ＣＢがそれぞれ腹側部分４Ｆ及び背側部分４Ｂの下縁領域４ＦＢ，４ＢＢに接合される。その結果、股部分４Ｃは着用時に着用者の股部に位置する。
【００１３】
この股部分４Ｃは、例えば、液不透過性のバックシートと、バックシートに保持された吸収体とを備える。吸収体は例えば繊維集合体及び高吸収ポリマー粒子を備える。
【００１４】
オムツ１は更に、概ね四角形状の一対の脚回りシート６Ｌ，６Ｒを備え、すなわち図１及び図２において股部分４Ｃの左側に位置する左方脚回りシート６Ｌと、股部分４Ｃの右側に位置する右方脚回りシート６Ｒとを備える。脚回りシート６Ｌ，６Ｒは伸長性又は伸縮性を有し、好ましくは伸縮性を有する。
【００１５】
脚回りシート６Ｌ，６Ｒの伸度は好ましくは１４０％以上であり、さらに好ましくは１８０％以上である。ここで、シート材の伸度は次のようにして求められる。すなわち、自然状態にあるシート材に５０ｍｍの線分を描き、次いでシート材を引っ張って伸長させ、完全に伸長したときの線分の長さＢ（ｍｍ）を測定する。次いで、次式を用いて伸度が算出される。
【００１６】
伸度＝Ｂ／５０ｘ１００（％）
【００１７】
更に、脚回りシート６Ｌ，６Ｒは液不透過性、撥水性、及び通気性のうち少なくとも一つを有する。
【００１８】
脚回りシートは伸長性シート又は伸縮性シートから構成できる。伸長性シートとして、例えば、ポリエチレン、ポリプロピレン等の熱可塑性樹脂フィルムを用いることができる。あるいは、熱可塑性樹脂フィルムに、部分的に切断され又は脆弱化された非伸長性不織布を貼り合わせた複合シートから構成することもできる。一方、伸縮性シートとして、例えば、ウレタン、スチレンのような熱可塑性エラストマ樹脂を溶融した伸縮繊維からなる不織布、伸縮繊維からなる不織布に、部分的に切断され又は脆弱化された非伸長性不織布を貼り合わせた複合シートから構成することもできる。
【００１９】
左方脚回りシート６Ｌの縦方向周縁領域６ＬＦ，６ＬＢは股部分４Ｃの左方においてそれぞれ、腹側部分４Ｆの下縁領域４ＦＢ及び背側部分４Ｂの下縁領域４ＢＢに接合される。また、左方脚回りシート６Ｌの内方側縁領域６ＬＩは、股部分４Ｃの左方側縁領域３Ｌに接合される。その結果、股部分４Ｃの左方において腹側部分４Ｆと背側部分４Ｂとの間の間隙７Ｌに左方脚回りシート６Ｌが配置される。
【００２０】
同様に、右方脚回りシート６Ｒの縦方向周縁領域６ＲＦ，６ＲＢは股部分４Ｃの右方においてそれぞれ、腹側部分４Ｆの下縁領域４ＦＢ及び背側部分４Ｂの下縁領域４ＢＢに接合される。また、右方脚回りシート６Ｒの内方側縁領域６ＲＩは、股部分４Ｃの右方側縁領域４ＣＲに接合される。その結果、股部分４Ｃの右方において腹側部分４Ｆと背側部分４Ｂとの間の間隙７Ｒに右方脚回りシート６Ｒが配置される。
【００２１】
ここで、腹側部分４Ｆ，背側部分４Ｂ，股部分４Ｃ，左方脚回りシート６Ｌ及び右方脚回りシート６Ｒは例えばホットメルト接着剤Ａ（図３）でもって、互いに接合される。
【００２２】
特に図２に示されるように、左方脚回りシート６Ｌは切抜き６ＬＣを有し、右方脚回りシート６Ｒは切抜き６ＲＣを有する。本発明による第１実施例では、切抜き６ＬＣ，６ＲＣはそれぞれ、縦方向に延びる長軸を有する楕円状をなしている。なお、切抜き６ＬＣ，６ＲＣを画定する周縁は脚回りシート６Ｌ，６Ｒの外周縁から離間しており、したがって脚回りシート６Ｌ，６Ｒはリング状をなしている。
【００２３】
股部分４Ｃ及び脚回りシート６Ｌ，６Ｒが横断方向Ｔにほぼ平行な折り畳み線ＦＬに沿って折り畳まれることにより、左方脚回りシート６Ｌの外方側縁領域６ＬＯＦ，６ＬＯＢが互いに重ねられ、右方脚回りシート６Ｒの外方側縁領域６ＲＯＦ，６ＲＯＢが互いに重ねられる。また、腹側部分４Ｆの左方側縁領域４ＦＬと背側部分４Ｂの左方側縁領域４ＢＬとが互いに重ねられ、腹側部分４Ｆの右方側縁領域４ＦＲと背側部分４Ｂの右方側縁領域４ＢＲとが互いに重ねられる。
【００２４】
その上で、左方脚回りシート６Ｌの外方側縁領域６ＬＯＦ，６ＬＯＢが互いに接合され、右方脚回りシート６Ｒの外方側縁領域６ＲＯＦ，６ＲＯＢが互いに接合される。また、左方側縁領域４ＦＬと左方側縁領域４ＢＬとが互いに接合され、右方側縁領域４ＦＲと右方側縁領域４ＢＲとが互いに接合される。
【００２５】
その結果、図１に示されるように、左方脚回りシート６Ｌによって左方脚回り開口１ＬＬが画定され、右方脚回りシート６Ｒによって右方脚回り開口１ＬＲが画定される。また、腹側部分４Ｆ及び背側部分４Ｂによって一つの胴回り開口１Ｗが画定される。
【００２６】
ここで、左方脚回りシート６Ｌの外方側縁領域６ＬＯＦ，６ＬＯＢ、右方脚回りシート６Ｒの外方側縁領域６ＲＯＦ，６ＲＯＢ、腹側部分４Ｆ及び背側部分４Ｂの左方側縁領域４ＦＬ，４ＢＬ及び右方側縁領域４ＦＲ，４ＢＲはそれぞれ、例えばソニックシールによってそれぞれ接合され、したがって再接合不能にそれぞれ接合される。その結果、オムツ１はパンツ形状をなしている。
【００２７】
本発明による第１実施例では、脚回り開口１ＬＬ，１ＬＲの周長又は内径が着用者の脚の周長又は外径よりも小さくなるように、切抜き６ＬＣ，６ＲＣが形成されている。
【００２８】
着用時には、脚回り開口１ＬＬ，１ＬＲに着用者の脚がそれぞれ通され、オムツ１が引き上げられる。この場合、脚回りシート６Ｌ，６Ｒは着用者の脚の形状に応じて伸長する。したがって、脚回りシート６Ｌ，６Ｒが着用者に密着する。
【００２９】
しかも、左方脚回りシート６Ｌ及び右方脚回りシート６Ｒがリング状をなしているので、脚回りシート６Ｌ，６Ｒが着用者の脚の全周にわたって密着し続けることができる。その結果、一対の脚回り開口１ＬＬ，１ＬＲからのモレを確実に抑制することができる。また、脚回りシート６Ｌ，６Ｒが腹側部分４Ｆ及び背側部分４Ｂから分離するのを抑制することもできる。
【００３０】
脚回りシート６Ｌ，６Ｒは互いに直交する２方向に伸長性又は伸縮性を有するのが好ましく、例えば縦方向Ｌ及び横断方向Ｔに伸長性又は伸縮性を有するのが好ましい。脚回りシート６Ｌ，６Ｒは一方向にのみ伸長性又は伸縮性を有してもよく、切抜き６ＬＣ，６ＲＣが縦方向に延びる楕円状の場合には、脚回りシート６Ｌ，６Ｒは縦方向Ｌに伸長性又は伸縮性を有するのが好ましい。
【００３１】
更に、本発明による第１実施例では、脚回りシート６Ｌ，６Ｒの肌側面は平坦である。すなわち、脚回りシート６Ｌ，６Ｒの肌側面にはシワが設けられていない。その結果、脚回りシート６Ｌ，６Ｒが線接触ではなく面接触の形で着用者に接するので、その結果、着用者に対する脚回りシート６Ｌ，６Ｒの密着性が高められる。
【００３２】
図４（Ａ），図４（Ｂ），図４（Ｃ）は、切抜き６ＬＣ，６ＲＣの別の実施例を示している。切抜き６ＬＣ，６ＲＣはそれぞれ、図４（Ａ）に示される例では円状をなし、図４（Ｂ）に示される例では横断方向に延びる長軸を有する楕円状をなしている。また、図４（Ｃ）に示される例では切抜き６ＬＣ，６ＲＣはそれぞれ、スリットから構成される。
【００３３】
なお、図４（Ｂ）に示される例では脚回りシート６Ｌ，６Ｒが少なくとも横断方向Ｔに伸長性又は伸縮性を有するのが好ましく、図４（Ｃ）に示される例では脚回りシート６Ｌ，６Ｒが少なくとも縦方向Ｌに伸長性又は伸縮性を有するのが好ましい。
【００３４】
切欠き６ＬＣ，６ＲＣが図２に示されるように縦方向に長い場合には、脚回り開口１ＬＬ，１ＬＲは着用者の鼠径部に位置することができる。この場合、着用者の外観を簡素化することができる。
【００３５】
一方、切欠き６ＬＣ，６ＲＣが図４（Ｂ）に示されるように横断方向に長い場合には、脚回り開口１ＬＬ，１ＬＲは着用者の大腿部に位置することができる。この場合、着用者の動きのある部位が締め付けられるのを抑制しつつ、オムツ１により着用者の体を広範囲で覆うことができる。
【００３６】
いずれにしても、脚回り開口１ＬＬ，１ＬＲが着用者の脚よりも小さく形成されているので、着用時に脚回りシート６Ｌ，６Ｒが着用者の脚に確実に密着することができる。
【００３７】
上述した本発明による第１実施例では、腹側部分４Ｆ及び背側部分４Ｂの左方側縁領域４ＦＬ，４ＢＬ同士が再接合不能に互いに接合され、右方側縁領域４ＦＲ，４ＢＲ同士が再接合不能に互いに接合される。また、左方脚回りシート６Ｌの外方側縁領域６ＬＯＦ，６ＬＯＢ及び右方脚回りシート６Ｒの外方側縁領域６ＲＯＦ，６ＲＯＢがそれぞれ、再接合不能に接合される。しかしながら、これら腹側部分４Ｆ及び背側部分４Ｂを、例えば接合具を用いて、再接合可能に接合することもできる。
【００３８】
すなわち、図５に示される例では、一対の雄部材８Ｍ及び一つの雌部材８Ｆを含む面ファスナのような接合具が設けられる。雄部材８Ｍは背側部分４Ｂに設けられ、雌部材８Ｆは腹側部分４Ｆの外面に設けられる。この場合、左方脚回りシート６Ｌの外方側縁領域６ＬＯＦ，６ＬＯＢ及び右方脚回りシート６Ｒの外方側縁領域６ＲＯＦ，６ＲＯＢはそれぞれ、互いに接合されていない。
【００３９】
図６（Ａ）及び図６（Ｂ）は脚回りシート６Ｌ，６Ｒの別の実施例を示している。なお、図６（Ａ）及び図６（Ｂ）には脚回りシート６Ｌのみが示されるが、脚回りシート６Ｒも同様に構成することができる。
【００４０】
図６（Ａ）に示される例では、切抜き６ＬＣから外方側縁６ＬＯＥまで延びる１本の脆弱線９が脚回りシート６Ｌに設けられる。その結果、脆弱線９に沿って脚回りシート６Ｌを破ることにより、切抜き６ＬＣにより画定される脚回り開口１ＬＬの大きさを調節することができる。なお、脆弱線９は外方側縁６ＬＯＥまで延びていなくてもよい。
【００４１】
図６（Ｂ）に示される例では、切抜き６ＬＣから外方側縁６ＬＯＥまで延びる複数、例えば２本の脆弱線９が脚回りシート６Ｌに設けられる。その結果、脆弱線９に沿って脚回りシート６Ｌを破り、脆弱線９に挟まれたシート部分６Ｘを除去することにより、脚回り開口１ＬＬの大きさを調節することができる。
【００４２】
図７（Ａ）は脚回りシート６Ｌ，６Ｒの別の実施例を、図７（Ｂ）及び図７（Ｃ）は股部分４Ｃの別の実施例を示している。これまで述べてきた各実施例では、脚回りシート６Ｌ，６Ｒは腹側部分４Ｆ及び背側部分４Ｂの内面、すなわち着用者側に接合されている。これに対し、図７（Ａ）に示される例では、脚回りシート６Ｌ，６Ｒは腹側部分４Ｆの外面４ＦＯ及び背側部分４Ｂの外面４ＢＯに接合される。
【００４３】
図７（Ｂ）に示される例では、吸収体ＡＤは股部分４Ｃとは別個に設けられる。すなわち、股部分４Ｃはバックシートを備えるが、吸収体を備えていない。その上で、股部分４Ｃは腹側部分４Ｆの外面４ＦＯ及び背側部分４Ｂの外面４ＢＯに接合される。
【００４４】
一方、図７（Ｃ）に示される例では、バックシート及び吸収体を備える股部分４Ｃが、腹側部分４Ｆの外面４ＦＯ及び背側部分４Ｂの外面４ＢＯに接合される。また、脚回りシート６Ｌ，６Ｒは、腹側部分４Ｆを構成する２枚のシート同士の間、及び背側部分４Ｂを構成する２枚のシート同士の間に、それぞれ接合される。
【００４５】
次に、切抜き６ＬＣ，６ＲＣの寸法について、図８を参照して説明する。本発明による第１実施例では、切抜き６ＬＣ，６ＲＣの縦方向長さＬＮＣがオムツ１の縦方向長さＬＮ１の１／３以下であり（ＬＮＣ≦（１／３）ＬＮ１）、かつ切抜き６ＬＣ，６ＲＣの横断方向長さＷＤＣがオムツ１の横断方向長さＷＤ１の１／３以下である（ＷＤＣ≦（１／３）ＷＤ１）ように、切抜き６ＬＣ，６ＲＣが形成される。
【００４６】
このようにすると、オムツ１によって着用者の体を十分に覆いながら、脚回り開口１ＬＬ，１ＬＲの大きさを小さくすることができる。したがって、脚回りシート６Ｌ，６Ｒを着用者の脚に確実に密着させることができる。
【００４７】
このことは実験によっても確認されている。すなわち、子供用オムツ及び大人用オムツのように縦方向長さＬＮ１及び横断方向長さＷＤ１が互いに異なる複数のオムツについて、ＬＮＣ≦（１／３）ＬＮ１かつＷＤＣ≦（１／３）ＷＤ１であるオムツと、ＬＮＣ＞（１／３）ＬＮ１又はＷＤＣ＞（１／３）ＷＤ１であるオムツとを用意した。これらオムツについてモレの発生頻度を確認したところ、ＬＮＣ≦（１／３）ＬＮ１かつＷＤＣ≦（１／３）ＷＤ１であるオムツでは低いモレ発生頻度が得られた。これに対し、ＬＮＣ＞（１／３）ＬＮ１又はＷＤＣ＞（１／３）ＷＤ１であるオムツでは高いモレ発生頻度が得られた。
【００４８】
ところで、従来、オムツ半完成品の連続体が用意され、互いに隣接する２つのオムツ半完成品同士の間に切欠き又は切抜きが形成され、切欠き又は切抜きが二分され、互いに隣接する２つのオムツ半完成品の脚回り開口が切欠き又は切抜きの部分によって画定される、使い捨てオムツの製造方法が知られている。しかしながら、この製造方法では、互いに隣接する２つのオムツ半完成品のうち一方の脚回り開口が大きくなると他方の脚回り開口が小さくなり、すなわち脚回り開口の大きさに大きなバラツキが生じうる。
【００４９】
これに対し、本発明による各実施例では、切抜き６ＬＣ，６ＲＣが脚回りシート６Ｌ，６Ｒにそれぞれ独立して形成される。したがって、脚回り開口１ＬＬ，１ＬＲの大きさを均一化することができる。
【００５０】
図９、図１０及び図１１は本発明による第２実施例を示している。図９、図１０及び図１１を参照すると、第２実施例では単一の脚回りシート６が設けられる。この脚回りシート６は、腹側部分４Ｆ及び背側部分４Ｂとほぼ同じ横断方向長さを有する。
【００５１】
脚回りシート６の縦方向周縁領域６Ｆ，６Ｂはそれぞれ、腹側部分４Ｆの下縁領域４ＦＢのほぼ全体及び背側部分４Ｂの下縁領域４ＢＢのほぼ全体に接合される。その結果、腹側部分４Ｆと背側部分４Ｂとの間の間隙７に脚回りシート６が配置される。
【００５２】
特に図１０に示されるように、脚回りシート６は一対の切抜き６Ｃを有する。本発明による第２実施例でも、切抜き６Ｃはそれぞれ、縦方向に延びる長軸を有する楕円状をなしている。
【００５３】
また、本発明による第２実施例でも、左方脚回りシート６Ｌの外方側縁領域６ＬＯＦ，６ＬＯＢが互いに接合され、右方脚回りシート６Ｒの外方側縁領域６ＲＯＦ，６ＲＯＢが互いに接合される。また、左方側縁領域４ＦＬと左方側縁領域４ＢＬとが互いに接合され、右方側縁領域４ＦＲと右方側縁領域４ＢＲとが互いに接合される。
【００５４】
その結果、図９に示されるように、脚回りシート６によって一対の脚回り開口１ＬＬ，１ＬＲが画定される。
【００５５】
本発明による第２実施例では、股部分４Ｃは腹側部分４Ｆ及び背側部分４Ｂ両方に接合される。しかしながら、股部分４Ｃは腹側部分４Ｆ及び背側部分４Ｂの一方に接合されてもよく、又は両方に接合されなくてもよい。
【００５６】
本発明による第２実施例のその他の構成及び作用は第１実施例の構成及び作用と同様である。
【００５７】
これまで述べてきた各実施例では、腹側部分４Ｆ、背側部分４Ｂ及び股部分４Ｃは互いに別個の部材から構成される。しかしながら、図１２に示されるように、腹側部分４Ｆ及び背側部分４Ｂと、バックシートから構成される股部分４Ｃとを共通のシート材から構成し、このシート材上に吸収体ＡＤを配置してもよい。なお、図１２では脚回りシート６Ｌ，６Ｒは省略してある。
【００５８】
また、股部分４Ｃ又は吸収体の横断方向両側に防漏部材をそれぞれ設けてもよい。各防漏部材は例えば、吸収体の横断方向側縁から横断方向外向きに拡がるシートを備え、これらシートの外端には、縦方向に延びる弾性部材が設けられる。その結果、モレを確実に抑制することができる。
【００５９】
更に、これまで述べてきた各実施例を互いに組み合わせることもできる。すなわち、例えば、本発明による第２実施例において、図７（Ａ）のように脚回りシートを腹側部分４Ｆ及び背側部分４Ｂの外面に接合することもできる。
【符号の説明】
【００６０】
１    使い捨てオムツ
１ＬＬ，１ＬＲ    脚回り開口
４Ｆ    腹側部分
４Ｂ    背側部分
４Ｃ    股部分
６Ｌ，６Ｒ    脚回りシート
６ＬＣ，６ＲＣ    切抜き
６ＬＯＦ，６ＬＯＢ，６ＲＯＦ，６ＲＯＢ    外方側縁領域
【図１】
0005754947.tif 000002
【図２】
0005754947.tif 000003
【図３】
0005754947.tif 000004
【図４】
0005754947.tif 000005
【図５】
0005754947.tif 000006
【図６】
0005754947.tif 000007
【図７】
0005754947.tif 000008
【図８】
0005754947.tif 000009
【図９】
0005754947.tif 000010
【図１０】
0005754947.tif 000011
【図１１】
0005754947.tif 000012
【図１２】
0005754947.tif 000013